(57)【要約】【課題】  １対のボタン保持腕でボタンを保持しながら加工布に縫付ける縫目に弛みが生じ、糸緩め効果を十分に発揮できるようにすること。【解決手段】  １対のボタン保持腕３８，３９は押えアーム２０に設けられた開閉機構２２を介して、開放位置と保持位置とに切換えられ、これらボタン保持腕３８，３９の先端部にサイド押え部材４７，４８が夫々固定され、開閉機構２２に有するカム板３３に位置決め部材４３を介してセンター押え部材４６が付設されている。カム板３３を前方の作用位置に移動させると、センター押え部材４６が押え対象加工布部分ＷＢのうちのボタン領域間のセンター部分Ｗｃを押え、サイド押え部材４７，４８は、センター押え部材４６の両側に隣接する押え対象加工布部分の大部分を押える。【選択図】  図３
2005130900.tif 000002
【特許請求の範囲】
【請求項１】
ベッド部と、このベッド部に対して上下可能に支持された押えアームと、この押えアームに開閉自在に装着され複数のボタン穴を備えたボタンを挟持可能な１対のボタン保持腕と、この１対のボタン保持腕を水平方向へ開閉可能な開閉機構とを備えたボタン付けミシンにおいて、
前記１対のボタン保持腕でボタンを挟持する際にボタンとこのボタンを縫付ける加工布との間に移動し、前記ボタンの全域に対応する加工布部分のうち複数のボタン穴の近傍の複数のボタン穴領域を除く押え対象加工布部分を押圧する布押え手段を設けたことを特徴とするボタン付けミシン。
【請求項２】
前記布押え手段は、前記押え対象加工布部分のうちのボタン穴領域間のセンター部分を押えるセンター押え部材と、前記ボタン穴領域に対応する切欠き部を備え前記センター押え部材の両側に隣接する前記押え対象加工布部分の大部分を押える１対のサイド押え部材とを有することを特徴とする請求項１に記載のボタン付けミシン。
【請求項３】
前記開閉機構は、１対のボタン保持腕に固定された１対のピン部材と、これらピン部材を案内する１対のカム溝を有するカム板であって前記ベッド部の長さ方向に進退可能なカム板を有することを特徴とする請求項１又は２に記載のボタン付けミシン。
【請求項４】
前記１対のサイド押え部材は１対のボタン保持腕の先端部に夫々固定され、前記センター押え部材は前記開閉機構のカム板に付設され１対のサイド押え部材の開閉動作に同期して進退することを特徴とする請求項３に記載のボタン付けミシン。
【請求項５】
前記１対のサイド押え部材には、少なくとも、４つ穴ボタン用の１対の第１サイド押え部材と、２つ穴ボタン用の１対の第２サイド押え部材が設けられることを特徴とする請求項４に記載のボタン付けミシン。
【請求項６】
前記第１サイド押え部材は前記ベッド部の長さ方向に並ぶ１対の切欠き部を有し、前記第２サイド押え部材は１つの切欠き部を有することを特徴とする請求項５に記載のボタン付けミシン。
【請求項７】
前記１対の第１サイド押え部材は、前記センター押え部材と協働して略十字状をなすサイド押え部を有することを特徴とする請求項６に記載のボタン付けミシン。
【請求項８】
前記センター押え部材と前記サイド押え部材との少なくとも一方が着脱可能であることを特徴とする請求項２〜７の何れかに記載のボタン付けミシン。
【請求項９】
ベッド部と、このベッド部に対して上下可能に支持された押えアームと、この押えアームに開閉自在に装着され複数のボタン穴を備えたボタンを挟持可能な１対のボタン保持腕と、この１対のボタン保持腕を水平方向へ開閉可能な開閉機構とを備えたボタン付けミシンの布押え具であって、
前記１対のボタン保持腕でボタンを挟持する際にボタンとこのボタンを縫付ける加工布との間に移動し、前記ボタンの全域に対応する加工布部分のうち複数のボタン穴の近傍の複数のボタン穴領域を除く押え対象加工布部分のうちのボタン穴領域間のセンター部分を押えるセンター押え部材と、
前記ボタン穴領域に対応する切欠き部を備え前記センター押え部材の両側に隣接する前記押え対象加工布部分の大部分を押える１対のサイド押え部材と、
を備えたことを特徴とするボタン付けミシンの布押え具。
【発明の詳細な説明】
【技術分野】
【０００１】
本発明は、ボタン付けミシン及びその布押え具に関し、特にボタンを加工布に縫付ける際に、縫糸を緩く縫付けるようにしたものに関する。
【背景技術】
【０００２】
従来、この種のボタン付けミシンにより加工布にボタンを縫付ける場合、ボタンを加工布上に密着状に載置した状態で縫い付けられるため、このように密着状にボタンが縫付けられた衣服を着る際に、ボタンをボタン穴へ通すボタン通しが難しくなり、無理矢理通すような場合には、ボタンがちぎれてしまうことがある。
【０００３】
そこで、ボタン通しを容易に行えるように、ボタンの縫付けを緩くしてボタン付けが可能なミシンが種々提案されている。また、ファッションの流行により、緩くすることが望まれる場合もある。例えば、実公昭６１−７６５９号公報には、ベッド部に設けた送り台に押え腕を揺動可能に枢支し、この押え腕の先端部に、ボタンを左右方向から保持する１対のボタン保持腕を水平面にて開閉可能に枢支するとともに、針板の左右方向中央部に前後方向に延びる溝を形成し、この溝内に断面円形の弛み形成部材を収容して加工布の下側に配置しておく。
【０００４】
この場合、縫付けに供するボタンは、その左右両端部において、１対のボタン保持腕の先端部に夫々形成さた段落ち部に係止させて挟持されているため、ボタンの略全体がその段落ち部の高さだけ、加工布上に浮いた状態で保持されている。ミシンによる縫付けが行われると、縫糸によりボタン穴と加工布と弛み形成部材とが複数回に亙って渡り糸により縫付けられるため、縫付け作業後に弛み形成部材を引き出すことで、ボタンを加工布に縫付ける縫目に弛みを持たせるようにしてある（例えば、特許文献１）。
【０００５】
【特許文献１】実公昭６１−７６５９号公報  （第２〜３頁、図３〜図４）
【発明の開示】
【発明が解決しようとする課題】
【０００６】
前述したように、実公昭６１−７６５９号公報に記載のボタン付けミシンにおいては、ボタンの左右両端部を、１対のボタン保持腕の先端部に夫々形成さた段落ち部に係止させて挟持するようにしてあるため、ボタンの略全体が段落ち部の高さだけ加工布上に浮いた状態であって、何ら押えられていないため、縫付けにより生じる複数の渡り糸により、弛み形成部材の直ぐ外側の加工布部分がボタン側に引き寄せられて盛り上がるようになり、渡り糸の弛み量が減少するようになり、渡り糸の緩め効果を十分に発揮できないという問題がある。
【課題を解決するための手段】
【０００７】
請求項１のボタン付けミシンは、ベッド部と、このベッド部に対して上下可能に支持された押えアームと、この押えアームに開閉自在に装着され複数のボタン穴を備えたボタンを挟持可能な１対のボタン保持腕と、この１対のボタン保持腕を水平方向へ開閉可能な開閉機構とを備えたボタン付けミシンにおいて、１対のボタン保持腕でボタンを挟持する際にボタンとこのボタンを縫付ける下側の加工布との間に移動し、ボタンの全域に対応する加工布部分のうち複数のボタン穴の近傍の複数のボタン穴領域を除く押え対象加工布部分を押圧する布押え手段を設けたものである。
【０００８】
供給されたボタンを受け取った１対のボタン保持腕が、開閉機構によりその開放位置から保持位置に水平方向に切換えられてボタンを挟持した状態で、押えアームが下方の縫製位置に揺動された場合、ボタンとこのボタンを縫付ける加工布との間に布押え手段が移動する。この場合、加工布上の布押え手段が、ボタンの全域に対応する加工布部分のうち、複数のボタン穴の近傍の複数のボタン穴領域を除く押え対象加工布部分を押圧する。
【０００９】
この押圧状態でボタンが加工布に縫付けられた場合、ボタン側に引き寄せられ易い押え対象加工布部分は、布押え手段で押えられているため盛り上がるようなことがなく、縫糸の糸量として、布押え手段の厚さに相当して確実に確保されている。それ故、ボタンを加工布に縫付ける縫目に弛みが生じる。
【００１０】
ここで、前記布押え手段が、押え対象加工布部分のうちのボタン穴領域間のセンター部分を押えるセンター押え部材と、ボタン穴領域に対応する切欠き部を備えセンター押え部材の両側に隣接する押え対象加工布部分の大部分を押える１対のサイド押え部材とを有する場合（請求項１に従属の請求項２）には、布押え手段をこれらセンター部材と、１対のサイド押え部材の３部品として分割して構成するので、これら１対のサイド押え部材をボタンの大きさに応じて適宜交換できる。また、ボタンが縫付けられた縫糸に邪魔されることなく、つまり縫糸に引っ掛かることなく、センター部材及び１対のサイド押え部材を抜き取れる。
【００１１】
ここで、前記開閉機構が、１対のボタン保持腕に固定された１対のピン部材と、これらピン部材を案内する１対のカム溝を有するカム板であってベッド部の長さ方向に進退可能なカム板を有する場合（請求項１又は２に従属の請求項３）には、手動操作でカム板をベッド部の長さ方向に進退移動でき、カム板のカム溝に案内されたピン部材を介して１対のボタン保持腕が開閉動作する。
【００１２】
ここで、前記１対のサイド押え部材は１対のボタン保持腕の先端部に夫々固定され、センター押え部材は開閉機構のカム板に付設され１対のサイド押え部材の開閉動作に同期して進退する場合（請求項３に従属の請求項４）には、手動操作でカム板をベッド部の長さ方向に進退移動でき、１対のボタン保持腕の先端部に夫々固定されたサイド押え部材は、１対のボタン保持腕の開閉動作に伴って同時に開閉移動するとともに、カム板に付設されたセンター押え部材は、１対のサイド押え部材の開閉動作に同期して進退移動する。
【００１３】
ここで、前記１対のサイド押え部材には、少なくとも、４つ穴ボタン用の１対の第１サイド押え部材と、２つ穴ボタン用の１対の第２サイド押え部材が設けられる場合（請求項４に従属の請求項５）には、縫付けに供するボタンの種類に応じて、つまり４つ穴ボタンの場合には１対の第１サイド押え部材を使用し、２つ穴ボタンの場合には、４つ穴ボタン用の１対の第１サイド押え部材に代えて、１対の第２サイド押え部材を使用する。
【００１４】
ここで、前記第１サイド押え部材がベッド部の長さ方向に並ぶ１対の切欠き部を有し、第２サイド押え部材が１つの切欠き部を有する場合（請求項５に従属の請求項６）には、４つ穴ボタンの縫付けに際して第１サイド押え部材を用いることで、縫針がこれらベッド部の長さ方向に並ぶ１対の切欠き部を挿通できるとともに、２つ穴ボタンの縫付けに際して第２サイド押え部材を用いることで、縫針が１つの切欠き部を挿通できる。
【００１５】
ここで、前記１対の第１サイド押え部材は、センター押え部材と協働して略十字状をなすサイド押え部を有する場合（請求項６に従属の請求項７）には、これらセンター押え部材と、１対の第１サイド押え部材のサイド押え部とにより、相互に直交する２方向に略十字状に加工布を押える。
【００１６】
ここで、前記センター押え部材とサイド押え部材との少なくとも一方が着脱可能である場合（請求項２〜７の何れかに従属の請求項８）には、必要に応じて、センター押え部材とサイド押え部材との少なくとも一方を着脱して縫製を行える。
【００１７】
請求項９のボタン付けミシンの布押え具は、ベッド部と、このベッド部に対して上下可能に支持された押えアームと、この押えアームに開閉自在に装着され複数のボタン穴を備えたボタンを挟持可能な１対のボタン保持腕と、この１対のボタン保持腕を水平方向へ開閉可能な開閉機構とを備えたボタン付けミシンの布押え具であって、１対のボタン保持腕でボタンを挟持する際にボタンとこのボタンを縫付ける加工布との間に移動し、ボタンの全域に対応する加工布部分のうち複数のボタン穴の近傍の複数のボタン穴領域を除く押え対象加工布部分のうちのボタン穴領域間のセンター部分を押えるセンター押え部材と、ボタン穴領域に対応する切欠き部を備えセンター押え部材の両側に隣接する押え対象加工布部分の大部分を押える１対のサイド押え部材とを備えたものである。
【００１８】
供給されたボタンを受け取った１対のボタン保持腕が、開閉機構によりその開放位置から保持位置に水平方向に切換えられてボタンを挟持した状態で、押えアームが下方の縫製位置に揺動された場合、ボタンとこのボタンを縫付ける加工布との間に布押え具が移動し、ボタンの全域に対応する加工布部分のうち、複数のボタン穴の近傍の複数のボタン穴領域を除く押え対象加工布部分を押圧する。
【００１９】
この場合、押え対象加工布部分のうちのボタン穴領域間のセンター部分がセンター押え部材で押えられるとともに、センター押え部材の両側に隣接する押え対象加工布部分の大部分が１対のサイド押え部材で押えられる。
【００２０】
それ故、布押え具による押圧状態でボタンが加工布に縫付けられた場合、ボタン側に引き寄せられ易い押え対象加工布部分は、布押え具で押えられているため盛り上がるようなことがなく、縫糸の糸量として、布押え具の厚さに相当して確実に確保されているため、ボタンを加工布に縫付ける縫目に弛みが生じる。
【発明の効果】
【００２１】
請求項１の発明によれば、ベッド部と押えアーム部と１対のボタン保持腕と開閉機構とを備えたミシンにおいて、１対のボタン保持腕でボタンを挟持する際にボタンとこのボタンを縫付ける加工布との間に移動し、ボタンの全域に対応する加工布部分のうち複数のボタン穴の近傍の複数のボタン穴領域を除く押え対象加工布部分を押圧する布押え手段を設けたので、その布押え手段でボタンの全域に対応する加工布部分のうち、複数のボタン穴の近傍の複数のボタン穴領域を除く押え対象加工布部分を押圧状態でボタンが加工布に縫付けられた場合、押圧されている押え対象加工布部分の盛り上がりを確実に防止できるため、縫糸の糸量として、布押え手段の厚さに相当して確実に確保でき、ボタンを加工布に縫付ける縫目に弛みが生じ、糸緩め効果を十分に発揮することができる。
【００２２】
請求項２の発明によれば、前記布押え手段は、押え対象加工布部分のうちのボタン穴領域間のセンター部分を押えるセンター押え部材と、ボタン穴領域に対応する切欠き部を備えセンター押え部材の両側に隣接する押え対象加工布部分の大部分を押える１対のサイド押え部材とを有するので、縫付けるボタンの大きさに応じて、１対のサイド押え部材だけを適宜交換することができる。
【００２３】
また、ボタンの縫付け終了に際して、ボタンを縫付けた縫糸に邪魔されることなく、センター部材及び１対のサイド押え部材を容易に抜き取ることができる。その他請求項１と同様の効果を奏する。
【００２４】
請求項３の発明によれば、前記開閉機構は、１対のボタン保持腕に固定された１対のピン部材と、これらピン部材を案内する１対のカム溝を有するカム板であってベッド部の長さ方向に進退可能なカム板を有するので、手動操作でカム板をベッド部の長さ方向に進退移動させるだけで、１対のボタン保持腕を開閉動作できるので、操作性が向上する。その他請求項１又は２と同様の効果を奏する。
【００２５】
請求項４の発明によれば、前記１対のサイド押え部材は１対のボタン保持腕の先端部に夫々固定され、センター押え部材は開閉機構のカム板に付設され１対のサイド押え部材の開閉動作に同期して進退するので、手動操作でカム板をベッド部の長さ方向に進退移動させるだけで、１対のボタン保持腕の先端部に夫々固定されたサイド押え部材の開閉動作とセンター押え部材の進退移動とを同期させて作動できるため、操作性が向上する。その他請求項３と同様の効果を奏する。
【００２６】
請求項５の発明によれば、前記１対のサイド押え部材には、少なくとも、４つ穴ボタン用の１対の第１サイド押え部材と、２つ穴ボタン用の１対の第２サイド押え部材が設けられるので、４つ穴ボタンや２つ穴ボタン等、縫付けに供するボタンの種類に応じて最適な第１又は第２サイド押え部材を適宜選択的に取付けでき、殆どの種類のボタンの縫付けが可能になる。その他請求項４と同様の効果を奏する。
【００２７】
請求項６の発明によれば、前記第１サイド押え部材はベッド部の長さ方向に並ぶ１対の切欠き部を有し、第２サイド押え部材は１つの切欠き部を有するので、４つ穴ボタン用の第１サイド押え部材を用いた場合でも、２つ穴ボタン用の第２サイド押え部材を用いた場合でも、縫針が何れかの切欠き部を挿通できるため、縫針による縫付けを何ら支障なく行うことができる。その他請求項５と同様の効果を奏する。
【００２８】
請求項７の発明によれば、前記１対の第１サイド押え部材は、センター押え部材と協働して略十字状をなすサイド押え部を有するので、これらセンター押え部材と、１対の第１サイド押え部材のサイド押え部とにより、相互に直交する２方向に略十字状に、つまり４つ穴ボタンの縫付け時に加工布の盛り上がりを防止する要所を確実に押えることができるため、４つ穴ボタンの糸緩め効果を十分に発揮することができる。その他請求項６と同様の効果を奏する。
【００２９】
請求項８の発明によれば、前記センター押え部材とサイド押え部材との少なくとも一方が着脱可能であるので、必要に応じて、センター押え部材とサイド押え部材との少なくとも一方を着脱して縫製を行うことができ、作業がし易い。その他請求項２〜７の何れかと同様の効果を奏する。
【００３０】
請求項９の発明によれば、ベッド部と押えアーム部と１対のボタン保持腕と開閉機構とを備えたミシンの布押え具であって、１対のボタン保持腕でボタンを挟持する際にボタンとこのボタンを縫付ける加工布との間に移動し、ボタンの全域に対応する加工布部分のうち複数のボタン穴の近傍の複数のボタン穴領域を除く押え対象加工布部分のうちのボタン穴領域間のセンター部分を押えるセンター押え部材と、ボタン穴領域に対応する切欠き部を備えセンター押え部材の両側に隣接する押え対象加工布部分の大部分を押える１対のサイド押え部材とを設けたので、布押え具による押圧状態でボタンが加工布に縫付けられた場合、ボタン側に引き寄せられ易い押え対象加工布部分は、センター押え部材と１対のサイド押え部材により確実に押えられているため、盛り上がるようなことがなく、縫糸の糸量として、布押え具の厚さに相当して確実に確保されているため、ボタンを加工布に縫付ける縫目に弛みが生じ、糸緩め効果を十分に発揮することができる。
【発明を実施するための最良の形態】
【００３１】
本実施形態のボタン付けミシンは、縫付けに供するボタンを両側から保持するボタン保持腕の先端部に布押え部材を夫々固着し、複数のボタン孔及びその近傍部を除く加工布部分を略全体的に押圧するようにしてある。
【実施例】
【００３２】
図示外のボタン供給装置から供給されるボタン２９を、身頃生地等の加工布に縫付ける工業用のボタン付けミシン１について説明する。
図１〜図３に示すように、ベッド部２の上面には針板５及び針板５と略同一平面をなす蓋板６とが固着されている。ベッド部２内には、縫針１４と協働して縫目を形成する為の周知の糸輪捕捉器８が設けられている。
【００３３】
この糸輪捕捉器８について、図７に基づいて簡単に説明すると、ベッド部２に取付けられた大釜９と、その大釜９の内部に揺動可能に支持されるとともに、先端に剣先１０ａを有する中釜１０と、この中釜１０を回転駆動させるドライバー１１と、下糸が巻装されたボビン（図示略）を収容するボビンケース１２等から構成されている。
【００３４】
一方、ベッド部２に対向状のアーム部３の頭部４には、針棒１３が上下動可能に枢支され、その針棒１３の下側には、針板５に設けられた針孔５ａを挿通する縫針１４が着脱可能に取付けられている。
【００３５】
ベッド部２に送り台１６が設けられ、この送り台１６は、図示外のミシン主軸と連動する送りカム等を有する図示しない公知の駆動機構により、前後方向及び左右方向に移動駆動される。針板５上に送り板１７が配置され、この送り板１７は、後端部において送り台１６に複数のボルト１８により固着されている。その送り板１７には、縫針１４が挿通可能な略正方形の針通過孔１７ａ（図７参照）が形成されている。
【００３６】
ベッド部２上に前後方向向きに配設された押えアーム２０は、後端部において支持軸２１により送り台１６の後端部に上下揺動可能に枢支されている。この押えアーム２０の前端部に開閉機構２２が設けられ、この開閉機構２２に、左右１対のボタン保持腕３８，３９の後端部が開閉可能に支持されるとともに、ボタン２９の後端を位置決めする位置決め部材４３の後端部分が固着されている。
【００３７】
押えアーム２０の上面部に上下方向向きのバネ受け棒２３の下端部が固着され、アーム部３の下側にはブラケット２４が固定されている。そこで、固定側のブラケット２４のバネ受け部２４ａと、バネ受け棒２３の下端の押えアーム２０との間に圧縮コイルバネ２５が介設されており、押えアーム２０はその圧縮コイルバネ２５のバネ力により常に下方に弾性付勢されている。
【００３８】
前後方向に延びる押え上げレバー２６は、その略中間部においてブラケット２４に回動可能に枢着されるとともに、その前端部において、押えアーム２０に固定された正面視Ｌ字状の引上げレバー２７に下側から係合している。一方、押え上げレバー２６の後端部は、ブラケット２４の後側に配設された駆動板２８に連結されている。
【００３９】
駆動板２８はワイヤ等の連結部材を介して手動押え上げペダル（図示略）に連結されている。それ故、オペレータが手動押え上げペダルを操作することにより駆動板２８が下降し、押え上げレバー２６の前端側が、圧縮コイルバネ２５のバネ力に抗して、図１において時計回転方向に上動され、引上げレバー２７を介して押えアーム２０の前端部が上昇するようになっている。
【００４０】
次に、押えアーム２０の前端部に設けられ、両ボタン保持腕３８，３９を保持位置と開放位置とに夫々切換え可能に開閉する開閉機構２２について、図２〜図５に基づいて説明する。
【００４１】
押えアーム２０の前端部の下面に、切換えベース板３０の後端部がボルト３１で固定され、切換えベース板３０の下側の後端部に、切換えベース板３０の直ぐ下側に配設された左右両ボタン保持腕３８，３９の後端部が段付きボルト３２（図５参照）により夫々回動可能に、つまり図３に２点鎖線で示す示す開放位置（図５に実線で図示）と、実線で示す保持位置（図６に実線で図示）とに切換え可能に枢支されている。
【００４２】
両ボタン保持腕３８，３９の後半部分の下側に平面視略台形状のカム板３３が配設され、このカム板３３の上面の中央部に図示しないビスにて固着された位置決め部材４３の一部であるスライドブロック３４が、切換えベース板３０の略中央部に形成された前後方向に長い切欠き穴３０ａに下側からスライド可能に且つ落下しないように係合されている。両ボタン保持腕３８，３９の下側には、図５に示すように、短い係合ピン３５（これがピン部材に相当する）が夫々固着され、これら係合ピン３５がカム板３３に形成されたハ字状のカム溝３３ａ，３３ｂに夫々係合している。
【００４３】
ここで、両ボタン保持腕３８，３９は、図１、図３に示すように、側面視にて略緩やかなクランク状であり、前端部分が低くなっている。これらボタン保持腕３８，３９の前端部分の上側には、図２、図８に示すように、緩やかなクランク状に沿うように曲げ加工されたバネ材からなる薄板状のバネ板４０，４１が夫々配設され、その後端部において夫々ビス４２で固定されている。それ故、両ボタン保持腕３８，３９の先端部に供給されたボタン２９を、これらバネ板４０，４１で上側から確実に保持できるようになっている。
【００４４】
切換えベース板３０の下側には、更に、前方向きの位置決め部材４３の後端部がボルトにより固着されている。この位置決め部材４３も、側面視にて略緩やかなクランク状であり、前端部分が段落ち状に形成され、この段落ち部にボタン２９の後端を位置規制する後端規制部４３ａが形成されるとともに、前端部分に、布押え部材４５（これら布押え手段に相当する）のうちのセンター押え部材４６が一体形成されている。このセンター押え部材４６の厚さは約２mmです。
【００４５】
次に、これら両ボタン保持腕３８，３９の先端部に着脱可能に固着されるサイド押え部材４７，４８（これがら１対の第１サイド押え部材に相当する）について説明する。
図３、図４、図６に示すように、ボタン保持腕３８，３９の先端部の下面に、左右対象形のサイド押え部材４７，４８が夫々アリ溝により連結され、ビス４９により夫々着脱可能に固定されている。これらサイド押え部材４７，４８の厚さは、センター押え部材４６と同様に約２mmです。ここで、１つのセンター押え部材４６と、１対のサイド押え部材４７，４８等から布押え具が構成されている。
【００４６】
右サイド押え部材４７の内側部分には、ボタン２９に有する４つのボタン穴２９ａのうち右側の２つのボタン穴２９ａに対応するように、平面視略横向きＵ字状の２つの切欠き部４７ａ，４７ｂがベッド部２の長さ方向（前後方向）に並べて形成されている。
【００４７】
左サイド押え部材４８の内側部分にも同様に、ボタン２９に有する４つのボタン穴２９ａのうち左側の２つのボタン穴２９ａに対応するように、平面視略横向きＵ字状の２つの切欠き部４８ａ，４８ｂがベッド部２の長さ方向に並べて形成されている。
【００４８】
手動操作によりカム板３３を後方の開き位置（図３にて２点鎖線で図示）へ移動させた場合、位置決め部材４３は後方の退避位置に移動するのと同時に、係合ピン３５とカム溝３３ａ，３３ｂの係合を介して、１対のボタン保持腕３８，３９が同期しながら左右対象に外方の開放位置に回動する。このように、ボタン保持腕３８，３９が開放位置に切換えられたときには、もはやボタン２９を保持しなくなる。
【００４９】
一方、カム板３３を前方の閉じ位置（図３にて実線で図示）へ移動させた場合には、位置決め部材４３は前方の作用位置に移動するのと同時に、１対のボタン保持腕３８，３９が同期しながら左右対象に内方の保持位置（図３に実線で図示）に切換えられ、図示外のボタン供給装置から供給されたボタン２９を両側から同時に保持する。このとき、細長いセンター押え部材４６に対して、右サイド押え部材４７が右側から密着状に当接するとともに、左サイド押え部材４８が左側から密着状に当接する。
【００５０】
次に、このように構成されたボタン付けミシン１の作用及び効果について説明する。
先ず、手動操作によりカム板３３を後方の開き位置へ移動させると、位置決め部材４３が後方の退避位置に移動し、同時に両ボタン保持腕３８，３９が左右対象に開放位置に回動する。次に、手動押え上げペダルの踏み込みにより押えアーム２０の先端側が圧縮コイルバネ２５のバネ力に抗して上方に揺動されるので、ボタン付けに供する加工布Ｗを送り板１７上の所定の縫製位置に載置する。
【００５１】
このとき、図示外のボタン供給装置から所定の渡し位置、つまり両ボタン保持腕３８，３９で保持可能な位置に供給されるので、カム板３３を閉じ位置へ移動させる。それ故、位置決め部材４３は前方の作用位置に移動するのと同時に、１対のボタン保持腕３８，３９が左右対象に内方の保持位置に同時に回動し、ボタン２９はこれら両ボタン保持腕３８，３９と位置決め部材４３とによる３点で確実に支持される。
【００５２】
このように、ボタン２９の左右両側はボタン保持腕３８，３９の先端の内面に当接して挟持されるとともに、更に、ボタン２９の左右両端部の上側がバネ板４０，４１で夫々押えられているため、ボタン２９を安定姿勢で確実に保持することができる。この場合、供給された４つのボタン穴２９ａを有するボタン２９は、縫付けが可能な所定の向きにてボタン保持腕３８，３９で挟持されている。
【００５３】
そして、手動押え上げペダルの踏み込み解除により、図１、図７に示すように、押えアーム２０の先端側が圧縮コイルバネ２５のバネ力により下方に揺動されるので、両ボタン保持腕３８，３９で保持するボタン２９が加工布Ｗの上側に載置される。
【００５４】
このとき、図６に示すように、ボタン２９の全域に対応する略円形の加工布部分のうち、４つのボタン穴２９ａの近傍の４つのボタン穴領域（右斜め下向きの斜線で図示）ＷＡを除く押え対象加工布部分（左斜め下向きの斜線で図示）ＷＢが布押え部材４５により押圧されている。
【００５５】
即ち、図６、図７に示すように、ボタン２９と加工布Ｗとの間において、押え対象加工布部分ＷＢのうち左右２つのボタン穴領域ＷＡ間のセンター部分Ｗｃをセンター押え部材４６が押え、センター押え部材４６の右側に密着状に位置する右サイド押え部材４７とセンター押え部材４６の左側に密着状に位置する左サイド押え部材４８とにより、押え対象加工布部分ＷＢの大部分を押圧する。この場合、１対のサイド押え部材４７，４８は、図６に示すように、センター押え部材４６と協働して略十字状をなすサイド押え部４７ｃ，４８ｃを夫々有している。
【００５６】
その後、縫針１４と糸輪捕捉器８との協働によりボタン２９が加工布Ｗに縫付けられた場合、ボタン穴２９ａの近傍のボタン穴領域ＷＡを除いて、ボタン２９の全域に対応する加工布部分のうちの大部分の押え対象加工布部分ＷＢが布押え部材４５で、つまりこれらセンター押え部材４６と、１対の第１サイド押え部材４７，４８のサイド押え部４７ｃ，４８ｃとにより、相互に直交する２方向に略十字状に押えられた状態であるため、ボンタ２９を縫付ける縫糸により、押え対象加工布部分ＷＢが盛り上がるようなことがなく、縫糸の糸量として、布押え部材４５の厚さ（約２mm) に相当して確実に確保されている。それ故、縫付け作業終了に伴って、布押え部材４５が取り外されたとき、ボタン２９を加工布Ｗに縫付ける縫目に弛みを確実に持たせることができる。
【００５７】
このように、布押え部材４５でボタン２９の全域に対応する加工布部分のうち、複数のボタン穴２９ａの近傍の複数のボタン穴領域ＷＡを除く押え対象加工布部分ＷＢを押圧状態でボタン２９が加工布Ｗに縫付けられた場合、ボタン２９側に引き寄せら易い押え対象加工布部分ＷＢの盛り上がりを確実に防止でき、縫糸の糸量として、布押え部材４５の厚さに相当して確実に確保できるため、ボタン２９を加工布Ｗに縫付ける縫目に弛みが生じ、糸緩め効果を十分に発揮することができる。
【００５８】
また、布押え部材４５は、押え対象加工布部分ＷＢのうちのボタン穴領域ＷＡ間のセンター部分Ｗｃを押えるセンター押え部材４６と、ボタン穴領域ＷＡに対応する切欠き部４７ａ，４７ｂ、４８ａ，４８ｂを備え、センター押え部材４６の両側に隣接する押え対象加工布部分ＷＢの大部分を押える１対のサイド押え部材４７，４８とを有するので、縫付けるボタン２９の大きさに応じて、１対のサイド押え部材４７，４８だけを適宜交換することができる。しかも、ボタン２９の縫付け終了に際して、ボタン２９を縫付けた縫糸に邪魔されずに、センター部材４６及び１対のサイド押え部材４７，４８を容易に抜き取ることができる。
【００５９】
また、開閉機構２２は、１対のボタン保持腕３８，３９に固定された１対の係合ピン３５と、これら係合ピン３５を案内する１対のカム溝３３ａ，３３ｂを有するカム板３３であって、ベッド部２の長さ方向（前後方向）に進退可能なカム板３３を有するので、手動操作でカム板３３を前後方向に進退移動させるだけで、１対のボタン保持腕４７，４８を開閉動作できるので、操作性が向上する。
【００６０】
また、１対のサイド押え部材４７，４８は１対のボタン保持腕３８，３９の先端部に夫々固定され、センター押え部材４６は開閉機構２２のカム板３３に付設され１対のサイド押え部材４７，４８の開閉動作に同期して進退するので、手動操作でカム板をベッド部の長さ方向に進退移動させるだけで、１対のボタン保持腕３８，３９の開閉動作とセンター押え部材４ら４つ穴ボタン用のサイド押え部材４７，４８は、前後方向に並ぶ１対の切欠き部４７ａ，６の進退移動とを同期させて作動できるため、操作性が向上する。
【００６１】
また、これらサイド押え部材４７，４８には、切欠き部４７ａ，４７ｂ、４８ａ，４８ｂを有するので、このサイド押え部材４７，４８を用いた場合、縫針１４が何れかの切欠き部４７ａ，４７ｂ、４８ａ，４８ｂを挿通できるため、縫針１４による縫付けを何ら支障なく行うことができる
【００６２】
また、１対のサイド押え部材４７，４７は、センター押え部材４６と協働して略十字状をなすサイド押え部４７ｃ，４８ｃを有するので、これらセンター押え部材４６と、１対のサイド押え部材４７，４８のサイド押え部４７ｃ，４８ｃとにより、相互に直交する２方向に略十字状に、つまり４つ穴ボタン２９の縫付け時に加工布Ｗの盛り上がりを防止する要所を確実に押えることができるため、４つ穴ボタン２９の糸緩め効果を十分に発揮することができる。
【００６３】
更に、センター押え部材４６とサイド押え部材４７，４８との少なくとも一方が着脱可能であるので、必要に応じて、センター押え部材４６とサイド押え部材４７，４８との少なくとも一方を着脱して縫製を行うことができ、作業がし易い。しかも、複数種類あるセンター押え部材４６とサイド押え部材４７，４８のうちの最適なものを適宜用いることで、適切に押え対象加工布部分ＷＢを押えることがてきる。
【００６４】
次に、前記実施形態を部分的に変更した変更形態について説明する。
１〕図８に示すように、前述した４つ穴用のサイド押え部材４７，４８に代えて、２つ穴用の１対のサイド押え部材４７Ａ，４８Ａ（これらが第２サイド押え部材に相当する）であってもよい。
【００６５】
右サイド押え部材４７Ａの内側部分には、ボタン２９Ａに有する２つのボタン穴２９ｂのうち右側の１つのボタン穴２９ｂに対応するように、平面視略横向きＵ字状の１つの切欠き部４７ｄがベッド部２の長さ方向（前後方向）に並べて形成されている。左サイド押え部材４８Ａの内側部分にも同様に、ボタン２９Ａに有する２つのボタン穴２９ｂのうち左側の１つのボタン穴２９ｂに対応するように、平面視略横向きＵ字状の１つの切欠き部４８ｄがベッド部２の長さ方向に並べて形成されている。
【００６６】
この場合、２つ穴を有するボタン２９Ａの全域に対応する略円形の加工布部分のうち、２つのボタン穴２９ｂの近傍の２つのボタン穴領域（右斜め下向きの斜線で図示）ＷＣを除く押え対象加工布部分（左斜め下向きの斜線で図示）ＷＤを布押え部材４５Ａにより押圧されている。
【００６７】
即ち、ボタン２９Ａと加工布Ｗとの間において、押え対象加工布部分ＷＤのうち左右２つのボタン穴領域ＷＣ間のセンター部分Ｗｃをセンター押え部材４６が押え、センター押え部材４６の右側に密着状に位置する右サイド押え部材４７Ａとセンター押え部材４６の左側に密着状に位置する左サイド押え部材４８Ａとにより、押え対象加工布部分ＷＤの大部分を押圧する。
【００６８】
この場合にも、２つのボタン穴２９ｂの近傍のボタン穴領域ＷＣを除いて、ボタン２９Ａの全域に対応する加工布部分のうちの大部分の押え対象加工布部分ＷＤが布押え部材４５Ａで押えられた状態であるため、４つ穴ボタン２９と同様に、縫付け作業終了に伴って、布押え部材４５Ａが取り外されたとき、２つ穴用ボタン２９Ａを加工布Ｗに縫付ける縫目に弛みを確実に持たせることができる。
【００６９】
２〕布押え部材４５，４５Ａは、金属製に限らず、合成樹脂製であってもよい。
【００７０】
３〕サイド押え部材４７，４８、３７Ａ，４８Ａは全く不動に固定する必要はなく、必要に応じて左右方向に移動させたり、弾性変形して押えるように構成してもよい。
【００７１】
４〕サイド押え部材４７，４８の各々は、３つ突出した部分（外周部４７ｅ、４７ｇ、４８ｅ、４８ｇ、中央部４７ｆ、４８ｆ：図５参照）を有する「Ｅ」の文字又はその対象文字の形状であるが、略十字状に押えられるのであれば、サイド押え部材４７，４８の外周部４７ｅ、４７ｇ、４８ｅ、４８ｇの夫々を無くして、中央部４７ｆ、４８ｆのみが突出する文字「Ｔ」を反時計回りに９０度回動させた形状又はその対象形状に形成してもよい。
【００７２】
５〕センター押え部材４６は、位置決め部材４３とは別体に設け、サイド押え部材４７，４８、４７Ａ，４８Ａの開閉動作に同期して進退動作するように構成してもよい。
【００７３】
６〕前記実施形態に関し、既存の技術や当業者に自明の技術に基いて種々の変更を加えることもあり得る。
【００７４】
７〕押えアーム２０は、ベッド部２上において前後方向にスライド可能に構成されてもよい。
【００７５】
８〕スライドブロック３４は位置決め部材４３の一部であるが、カム板３３の上面の中央部に図示しないビスにて固定してもよい。
【００７６】
９〕本案は、１対のボタン保持腕を保持位置と開放位置とに切換え可能な種々のボタン付けミシン及びその保持具に本発明を適用し得ることは勿論である。
【図面の簡単な説明】
【００７７】
【図１】本発明の実施形態に係るボタン付けミシンの右側面図である。
【図２】押えアーム及びボタン保持腕を示す部分平面図である。
【図３】押えアーム及びボタン保持腕の斜視図である。
【図４】押えアーム及びボタン保持腕の分解斜視図である。
【図５】押えアーム及びボタン保持腕の部分底面図である。
【図６】ボタン保持腕及び布押え部材の部分拡大平面ずである。
【図７】図６のＧ−Ｇ線縦断正面図である。
【図８】変更形態に係る図６相当図である。
【符号の説明】
【００７８】
１      ボタン付けミシン
２      ベッド部
２０    押えアーム
２２    開閉機構
２９    ボタン
２９ａ  ボタン穴
２９ｂ  ボタン穴
３３    カム板
３３ａ  カム溝
３３ｂ  カム溝
３５    係合ピン
３８    ボタン保持腕
３９    ボタン保持腕
４５    布押え部材
４５Ａ  布押え部材
４６    センター押え部材
４７    右サイド押え部材
４７ａ  切欠き部
４７ｂ  切欠き部
４７ｃ  サイド押え部
４７ｄ  切欠き部
４７Ａ  右サイド押え部材
４８    左サイド押え部材
４８ａ  切欠き部
４８ｂ  切欠き部
４８ｃ  サイド押え部
４８ｄ  切欠き部
４８Ａ  左サイド押え部材
ＷＡ    ボタン穴領域
ＷＢ    押え対象加工布部分
【図１】
2005130900.tif 000003
【図２】
2005130900.tif 000004
【図３】
2005130900.tif 000005
【図４】
2005130900.tif 000006
【図５】
2005130900.tif 000007
【図６】
2005130900.tif 000008
【図７】
2005130900.tif 000009
【図８】
2005130900.tif 000010